(57)【要約】  【課題】  冷蔵庫（冷凍冷蔵庫、冷凍庫などを含む）の冷却器の霜取り用の熱源として利用されるガラス管ヒ−タおよびこのガラス管ヒーターを使用して霜取りを行う冷蔵庫に関するもので、リード線処理の作業性の向上を目指した優れたガラス管ヒーターを提供する。  【解決手段】  円筒形状の内側の第１ガラス管（13）と、この第１ガラス管（13）を覆うように設置された円筒形状の第２ガラス管（14）と、前記第１ガラス管（13）の内部に設置したヒータ線（11a,11b）とを少なくとも備える多重ガラス管ヒータにおいて、  前記第１ガラス管（13）と前記第２ガラス管（14）の間に前記ヒータ線（11a,11b）の一端に接続されたリード線（18）(11e)を配置して、前記ヒータ線（11a,11b）の両端に電気的に接続される二本のリード線(20a,20b)を同一側より引き出すことを特徴とする。    【選択図】  図３
2005273978.tif 000002
【特許請求の範囲】
【請求項１】
円筒形状の内側の第１ガラス管（13）と、この第１ガラス管（13）を覆うように設置された円筒形状の第２ガラス管（14）と、前記第１ガラス管（13）の内部に設置したヒータ線（11a,11b）とを少なくとも備える多重ガラス管ヒータにおいて、
前記第１ガラス管（13）と前記第２ガラス管（14）の間に前記ヒータ線（11a,11b）の一端に接続されたリード線（18）(11e)を配置して、前記ヒータ線（11a,11b）の両端に電気的に接続される二本のリード線(20a,20b)を同一側より引き出すことを特徴とする多重ガラス管ヒータ。
【請求項２】
円筒形状の内側の第１ガラス管（13）と、この第１ガラス管（13）を覆うように設置された円筒形状の第２ガラス管（14）と、前記第１ガラス管（13）の内部に設置したヒータ線（11a,11b）とを少なくとも備える多重ガラス管ヒータにおいて、
前記ヒータ線（11a,11b）の両端に電気的接続される２本のリード線［（20a）と(20b,18,15)］［（20a）と(20b,11e)］のうちの一本は、前記第１ガラス管（13）と前記第２ガラス管（14）の間を通って延ばされることを特徴とする多重ガラス管ヒータ。
【請求項３】
前記多重ガラス管ヒータは、二重ガラス管ヒータであることを特徴とする請求項１又は請求項２に記載の多重ガラス管ヒータ。
【請求項４】
可燃性冷媒を封入した冷凍サイクルの冷却器に付着・堆積した霜を請求項１〜請求項３のいずれか１項に記載の多重ガラス管ヒータにより除霜する冷蔵庫。
【発明の詳細な説明】
【技術分野】
【０００１】
本発明は、ガラス管ヒータ及びそれにより除霜する冷蔵庫に関するものである。
【背景技術】
【０００２】
従来より冷蔵庫の冷却器の霜取り用熱源として広く使用されているガラス管ヒータを図１に示す。この図１に示すように中央にコイル状のヒータ線１を直管状のガラス管２内に挿入し、このガラス管２の両端に導出されたヒータ線１に接続部４、４を介してリード線３、３を電気的に接続する。このガラス管５の両端部は、それぞれシリコンゴム材などの耐熱性で若干の弾性変形可能な絶縁材（キャップ５、５）で覆う。
【０００３】
しかしながら、上記構成によればガラス管２の両端にリード線３、３が接続されていることから、冷蔵庫の組立時には、この二本のリード線３、３をそれぞれ処理しなくてはならず厄介であった。
【０００４】
このため、特許文献１に示されるように、ガラス管をＵ字状にして、ガラス管ヒータの同一側から二本のリード線を引き出すことが提案されている。このようにすれば、二本のリード線を纏めることにより１本のリード線と同様に処理ができ、リード線処理が簡素化される。
【０００５】
ところで、冷媒として可燃性冷媒（ＨＣ冷媒を）を採用した冷蔵庫のためのガラス管ヒータとして、多重ガラス管ヒータが提案されている（特許文献２，３参照）。
【０００６】
図２は、このガラス管ヒータの端部の断面図である。
【０００７】
図２において、１１はヒータ線で、中央部分１１ａがコイル状に形成されており端１１ｂは所定長さの直線状に形成されている。１２はキャップで、シリコンゴム等耐熱性、弾性に優れた材料で形成されており、ガラス管を固定する為の円筒状突起１２ａが設けられている。円筒状突起１２ａは内周壁の直径が９．６ｍｍ、外周壁の直径が１６．７ｍｍで構成されている。１３は第一ガラス管で、外径１０．５ｍｍの円筒状で、ヒータ線１１を内部に収納している。１４は第２ガラス管で、内径１７ｍｍの円筒状で、第１ガラス管１３を内部に収納している。
【０００８】
なお、第１ガラス管１３の全長は第二のガラス管１４の全長よりも長くしている。 
【０００９】
１５はヒータ線線１１に接続されるリード線で、キャップ１２に設けられたリード線穴１２ｋを通ってヒータ１１に電気的に接続される。１６はヒータ線１１とリード線１５を接続する導電性のかしめ部（接続部）である。
【特許文献１】特開平９−７９７３４号公報
【特許文献２】特許３４０４３８９号公報
【特許文献３】特開２００３−７７６２５号公報
【発明の開示】
【発明が解決しようとする課題】
【００１０】
この多重ガラス管ヒータにおいて、ガラス管をＵ字状にして、ガラス管ヒータの同一側から二本のリード線を引き出すことは、困難である。
【００１１】
本発明は、多重ガラス管ヒータにおいて、簡単な構成で、ガラス管ヒータの片側から二本のリード線を引き出すことを目的とする。
【課題を解決するための手段】
【００１２】
本発明は、円筒形状の内側の第１ガラス管（13）と、この第１ガラス管（13）を覆うように設置された円筒形状の第２ガラス管（14）と、前記第１ガラス管（13）の内部に設置したヒータ線（11a,11b）とを少なくとも備える多重ガラス管ヒータにおいて、
前記第１ガラス管（13）と前記第２ガラス管（14）の間に前記ヒータ線（11a,11b）の一端に接続されたリード線（18）(11e)を配置して、前記ヒータ線（11a,11b）の両端に電気的に接続される二本のリード線(20a,20b)を同一側より引き出すことを特徴とする。
【００１３】
また、本発明は、円筒形状の内側の第１ガラス管（13）と、この第１ガラス管（13）を覆うように設置された円筒形状の第２ガラス管（14）と、前記第１ガラス管（13）の内部に設置したヒータ線（11a,11b）とを少なくとも備える多重ガラス管ヒータにおいて、
前記ヒータ線（11a,11b）の両端に電気的接続される２本のリード線［（20a）と(20b,18,15)］［（20a）と(20b,11e)］のうちの一本は、前記第１ガラス管（13）と前記第２ガラス管（14）の間を通って反対側端部に延ばされることを特徴とする。
【００１４】
また、本発明は、前記多重ガラス管ヒータは、二重ガラス管ヒータであることを特徴とする。
【００１５】
また、本発明は、可燃性冷媒を封入した冷凍サイクルの冷却器に付着・堆積した霜を前述した多重ガラス管ヒータにより除霜することを特徴とする。
【発明の効果】
【００１６】
本発明によれば、ガラス管ヒータの二本のリード線をガラス管ヒータの片側から引き出すことができ、リード線処理を簡素化できる。
【発明を実施するための最良の形態】
【００１７】
本発明は、円筒形状の内側の第１ガラス管（13）と、この第１ガラス管（13）を覆うように設置された円筒形状の第２ガラス管（14）と、前記第１ガラス管（13）の内部に設置した金属抵抗体からなるヒータ線（15）とを少なくとも備える多重ガラス管ヒータにおいて、前記第１ガラス管（13）と前記第２ガラス管（14）の間に前記ヒータ線（11）の一端に接続されたリード線（11）を配置して、前記ヒータ線（11）の両端に電気的に接続される二本のリード線を同一側より引き出すことを特徴とする。
【実施例１】
【００１８】
実施例１は冷蔵庫等の可燃性冷媒を封入した冷凍サイクルの冷却器に付着・堆積した霜を除霜するガラス管ヒータとそのガラス管ヒータを使用した冷蔵庫に関するものである。
【００１９】
実施例１のガラス管ヒータ（除霜用ヒータ）について、図面を参照しながら説明する
図３は、本発明の実施例１におけるガラス管除ヒータの一方の端部の部分断面図である。図４は、実施例１におけるガラス管除ヒータの他方の端部の部分断面図である。なお、図３及び図４において図２と同一構成部分は同一記号を付与して詳細な説明を省略する。
【００２０】
図３において、１１はヒータ線、１２はキャップで、１３は第１ガラス管で、ヒータ線１１を内部に収納している。１４は第２ガラス管で、第１ガラス管１３を内部に収納している。なお、第１ガラス管１３の全長は第２ガラス管１４の全長よりも長くしている。 
【００２１】
１５はリード線で、キャップ１２に設けられたリード線穴１２ｋを通ってヒータ１１線に電気的に接続される。このリード線１５の他端は、リード線穴１２ｍを通って、接続部１７を介して、裸線のリード線１８に接続される。このリード線１８は、第１ガラス管１３と第２ガラス管１４間に配置されている。
【００２２】
図４はこの２重ガラス管ヒータの他方の端部であり、１１はヒータ線、１２はキャップ、１３は第１ガラス管で、ヒータ線１１を内部に収納している。１４は第２ガラス管で、第１ガラス管１３を内部に収納している。
【００２３】
２０は２本のリード線で、一本のリード線２０ａはキャップ１２に設けられたリード線穴１２ｋを通ってヒータ線１１に電気的に接続される。残りのリード線２０ｂは、リード線穴１２ｍを通って、接続部１７を介して、裸線のリード線１８に接続される。２１はコネクタである。
【００２４】
なお、この実施例１では、リード線穴１２ｍをキャップ１２の上方に設けたが、防水のことを考えれば、下方に設けた方が良い。また、ガラス管ヒータの一方の端部では、リード線１５がキャップ１２の外側に引き出されてから、再度リード穴１２ｍを介して内部に引き込まれているが、本願は、これに限定されるわけではなく、キャップの形状は、成形の容易さ、防水性等を考慮して適宜変更して良い。
【実施例２】
【００２５】
図５は、本発明の実施例２におけるガラス管ヒータの一方の端部の部分断面図である。図６は、実施例２におけるガラス管除ヒータの他方の端部の部分断面図である。なお、図５及び図６において図２〜図４と同一構成部分は同一記号を付与して詳細な説明を省略する。
【００２６】
図５において、１１はヒータ線、１２はキャップ、１３は第１ガラス管、１４は第２ガラス管である。
【００２７】
１１ｅは、第１ガラス管１３外のヒータ線１１の部分であり、しかし、この実施例２では、ヒータ線というより、リード線としての役割を主に果たしている。この１１ｅを以下、折返しリード線部と称する。折返しリード線部１１ｅは、キャップ１２の折返し用凹部１２ｑで曲げられて、第１ガラス管１３と第２ガラス管１４の間を残りの一方のガラス管ヒータの端部に向けて折り返されている。 図６において、１１ｅは前述の折返しリード線部である。
【００２８】
この実施例２では、ガラス管内のヒータ線の一方にリード線２０ａが接続される。ガラス管内のヒータ線の他方に接続されるリード線は、リード線２０ｂと折返しリード線部１１ｅからなっている。
【００２９】
なお実施例１では、ガラス管内のヒータ線の一方にリード線２０ａが接続される。ガラス管内のヒータ線の他方に接続されるリード線は、リード線２０ｂとリード線１８とリード線１５からなっている。
【００３０】
以上本発明の実施例１，２について説明したが、上述の説明に基づいて当業者にとって種々の代替例、修正又は変形が可能であり、本発明はその趣旨を逸脱しない範囲で前述の種々の代替例、修正又は変形を包含するものである。
【産業上の利用可能性】
【００３１】
本発明は冷蔵庫などの冷却器の霜取り用の熱源として利用されるガラス管ヒータおよびそのガラス管ヒータを使用した冷蔵庫に関するものである。特に可燃性冷媒を用いた冷蔵庫に適している。
【図面の簡単な説明】
【００３２】
【図１】従来のガラス管ヒータの図である。
【図２】他の従来のガラス管ヒータの要部断面図である。
【図３】本発明の実施例１の要部断面図である。
【図４】この実施例１の要部断面図である。
【図５】本発明の実施例２の要部断面図である。
【図６】この実施例２の要部断面図である。
【符号の説明】
【００３３】
１１  ヒータ線
１１ａ、１１ｂ  ヒータ線部分（第１ガラス管内の部分）、
１１ｅ          ヒータ線部分（折返しリード線部、第１ガラス管外の部分）。
１２  キャップ、
１３  第１ガラス管、
１４  第２ガラス管、
１５  リード線、
１８  リード線、
２０  リード線、
２０ａ、２０ｂ  リード線。
【図１】
2005273978.tif 000003
【図２】
2005273978.tif 000004
【図３】
2005273978.tif 000005
【図４】
2005273978.tif 000006
【図５】
2005273978.tif 000007
【図６】
2005273978.tif 000008